(57)【特許請求の範囲】
【請求項１】
画像処理を実行するための複数の項目の設定からなる画像処理設定と他の画像処理設定とが共通する設定がなされた項目をもつことにより互いに類似するか否かを判定する判定手段と、
記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、
前記新規の画像処理設定と前記類似画像処理設定とを組み合わせるか否かを利用者に問い合わせるための情報を出力する問合せ情報出力手段とを備え、
前記登録手段は、前記問合せ情報出力手段が出力した情報に応じて前記利用者が行った選択の結果に基づき、前記新規の画像処理設定と前記類似画像処理設定とを組み合わせることを特徴とする登録支援装置。
【請求項２】
前記登録手段により前記新規の画像処理設定と組み合わせて登録される前記類似画像処理設定は、前記記憶手段に予め記憶されている画像処理設定であることを特徴とする請求項１に記載の登録支援装置。
【請求項３】
前記問合せ情報出力手段は、前記新規の画像処理設定と前記類似画像処理設定との間で異なる設定がなされた項目が予め定められた項目の分類のいずれに属するかに基づいて、出力する前記情報を決定することを特徴とする請求項１または２に記載の登録支援装置。
【請求項４】
前記記憶手段に記憶されている前記画像処理設定の１つを利用者に選択させ、選択された当該画像処理設定が互いに異なる設定がなされた項目を有する複数の画像処理設定を組み合わせた画像処理設定であるならば、更に当該項目につきいずれかの設定を当該利用者に選択させるための情報を出力する選択情報出力手段を更に備えたことを特徴とする請求項１乃至３のいずれかに記載の登録支援装置。
【請求項５】
前記判定手段は、前記画像処理設定と前記他の画像処理設定との間で異なる設定がなされた項目の個数が予め定められた個数以下であるときに、当該画像処理設定と当該他の画像処理設定とが互いに類似すると判定することを特徴とする請求項１乃至４のいずれかに記載の登録支援装置。
【請求項６】
前記判定手段は、前記画像処理設定と前記他の画像処理設定との間で異なる設定がなされた項目が予め定められた項目の分類のいずれに属するかに基づいて、当該画像処理設定と当該他の画像処理設定とが互いに類似すると判定することを特徴とする請求項１乃至５のいずれかに記載の登録支援装置。
【請求項７】
画像処理を実行するための複数の項目の設定からなる画像処理設定を記憶する記憶手段と、
複数の前記画像処理設定が共通する設定がなされた項目をもつことにより互いに類似するか否かを判定する判定手段と、
前記記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、
前記新規の画像処理設定と前記類似画像処理設定とを組み合わせるか否かを利用者に問い合わせるための情報を出力する問合せ情報出力手段とを備え、
前記登録手段は、前記問合せ情報出力手段が出力した情報に応じて前記利用者が行った選択の結果に基づき、前記新規の画像処理設定と前記類似画像処理設定とを組み合わせることを特徴とする登録支援システム。
【請求項８】
画像処理を実行するための複数の項目の設定からなる画像処理設定を記憶する記憶手段と、
複数の前記画像処理設定が共通する設定がなされた項目をもつことにより互いに類似するか否かを判定する判定手段と、
前記記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、
前記記憶手段に記憶されている前記画像処理設定の１つを利用者に選択させ、選択された当該画像処理設定が互いに異なる設定がなされた項目を有する複数の画像処理設定を組み合わせた画像処理設定であるならば、更に当該項目につきいずれかの設定を当該利用者に選択させるための情報を出力する選択情報出力手段と、
前記選択情報出力手段が出力した情報に応じて前記利用者が選択した画像処理設定に基づき画像処理を行う画像処理手段と、
前記新規の画像処理設定と前記類似画像処理設定とを組み合わせるか否かを利用者に問い合わせるための情報を出力する問合せ情報出力手段とを備え、
前記登録手段は、前記問合せ情報出力手段が出力した情報に応じて前記利用者が行った選択の結果に基づき、前記新規の画像処理設定と前記類似画像処理設定とを組み合わせることを特徴とする画像処理装置。
【請求項９】
コンピュータに、
画像処理を実行するための複数の項目の設定からなる画像処理設定と他の画像処理設定とが共通する設定がなされた項目をもつことにより互いに類似するか否かを判定する機能と、
記憶手段に記憶されていない新規の画像処理設定を当該記憶手段に新たに登録するときに、当該新規の画像処理設定と当該新規の画像処理設定に類似すると前記判定する機能により判定された画像処理設定である類似画像処理設定とを組み合わせて登録する機能と、
前記新規の画像処理設定と前記類似画像処理設定とを組み合わせるか否かを利用者に問い合わせるための情報を出力する機能とを実現させ、
前記登録する機能は、前記出力する機能が出力した情報に応じて前記利用者が行った選択の結果に基づき、前記新規の画像処理設定と前記類似画像処理設定とを組み合わせることを特徴とするプログラム。
【発明の詳細な説明】
【技術分野】
【０００１】
本発明は、登録支援装置、登録支援システム、画像処理装置及びプログラムに関する。
【背景技術】
【０００２】
特許文献１には、各種情報を含む画面を表示する表示手段を備え、複数の選択肢各々が予め定められた位置に配置された複数の選択画面を切り替えて、該表示手段に表示するようにしたユーザインターフェース装置において、上記選択肢の位置を指定する位置指定手段と、上記複数の選択画面各々における、上記位置指定手段によって指定された位置に位置する選択肢を、上記表示手段に表示するように制御する表示制御手段とを設けたユーザインターフェース装置が記載されている。
【先行技術文献】
【特許文献】
【０００３】
【特許文献１】特開２００５−２８４７８３号公報
【発明の概要】
【発明が解決しようとする課題】
【０００４】
本発明の目的は、互いに類似する画像処理設定が登録されて画像処理設定の個数が増加することを抑えることにある。
【課題を解決するための手段】
【０００５】
請求項１に記載の発明は、画像処理を実行するための複数の項目の設定からなる画像処理設定と他の画像処理設定とが共通する設定がなされた項目をもつことにより互いに類似するか否かを判定する判定手段と、記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、前記新規の画像処理設定と前記類似画像処理設定とを組み合わせるか否かを利用者に問い合わせるための情報を出力する問合せ情報出力手段とを備え、前記登録手段は、前記問合せ情報出力手段が出力した情報に応じて前記利用者が行った選択の結果に基づき、前記新規の画像処理設定と前記類似画像処理設定とを組み合わせることを特徴とする登録支援装置である。
【０００６】
請求項２に記載の発明は、前記登録手段により前記新規の画像処理設定と組み合わせて登録される前記類似画像処理設定は、前記記憶手段に予め記憶されている画像処理設定であることを特徴とする請求項１に記載の登録支援装置である。
請求項３に記載の発明は、前記問合せ情報出力手段は、前記新規の画像処理設定と前記類似画像処理設定との間で異なる設定がなされた項目が予め定められた項目の分類のいずれに属するかに基づいて、出力する前記情報を決定することを特徴とする請求項１または２に記載の登録支援装置である。
請求項４に記載の発明は、前記記憶手段に記憶されている前記画像処理設定の１つを利用者に選択させ、選択された当該画像処理設定が互いに異なる設定がなされた項目を有する複数の画像処理設定を組み合わせた画像処理設定であるならば、更に当該項目につきいずれかの設定を当該利用者に選択させるための情報を出力する選択情報出力手段を更に備えたことを特徴とする請求項１乃至３のいずれかに記載の登録支援装置である。
請求項５に記載の発明は、前記判定手段は、前記画像処理設定と前記他の画像処理設定との間で異なる設定がなされた項目の個数が予め定められた個数以下であるときに、当該画像処理設定と当該他の画像処理設定とが互いに類似すると判定することを特徴とする請求項１乃至４のいずれかに記載の登録支援装置である。
請求項６に記載の発明は、前記判定手段は、前記画像処理設定と前記他の画像処理設定との間で異なる設定がなされた項目が予め定められた項目の分類のいずれに属するかに基づいて、当該画像処理設定と当該他の画像処理設定とが互いに類似すると判定することを特徴とする請求項１乃至５のいずれかに記載の登録支援装置である。
【０００７】
請求項７に記載の発明は、画像処理を実行するための複数の項目の設定からなる画像処理設定を記憶する記憶手段と、複数の前記画像処理設定が共通する設定がなされた項目をもつことにより互いに類似するか否かを判定する判定手段と、前記記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、前記新規の画像処理設定と前記類似画像処理設定とを組み合わせるか否かを利用者に問い合わせるための情報を出力する問合せ情報出力手段とを備え、前記登録手段は、前記問合せ情報出力手段が出力した情報に応じて前記利用者が行った選択の結果に基づき、前記新規の画像処理設定と前記類似画像処理設定とを組み合わせることを特徴とする登録支援システムである。
請求項８に記載の発明は、画像処理を実行するための複数の項目の設定からなる画像処理設定を記憶する記憶手段と、複数の前記画像処理設定が共通する設定がなされた項目をもつことにより互いに類似するか否かを判定する判定手段と、前記記憶手段に記憶されていない新規の画像処理設定を当該記憶手段に新たに登録するときに、当該新規の画像処理設定と当該新規の画像処理設定に類似すると前記判定手段により判定された画像処理設定である類似画像処理設定とを組み合わせて登録する登録手段と、前記記憶手段に記憶されている前記画像処理設定の１つを利用者に選択させ、選択された当該画像処理設定が互いに異なる設定がなされた項目を有する複数の画像処理設定を組み合わせた画像処理設定であるならば、更に当該項目につきいずれかの設定を当該利用者に選択させるための情報を出力する選択情報出力手段と、前記選択情報出力手段が出力した情報に応じて前記利用者が選択した画像処理設定に基づき画像処理を行う画像処理手段と、前記新規の画像処理設定と前記類似画像処理設定とを組み合わせるか否かを利用者に問い合わせるための情報を出力する問合せ情報出力手段とを備え、前記登録手段は、前記問合せ情報出力手段が出力した情報に応じて前記利用者が行った選択の結果に基づき、前記新規の画像処理設定と前記類似画像処理設定とを組み合わせることを特徴とする画像処理装置である。
請求項９に記載の発明は、コンピュータに、画像処理を実行するための複数の項目の設定からなる画像処理設定と他の画像処理設定とが共通する設定がなされた項目をもつことにより互いに類似するか否かを判定する機能と、記憶手段に記憶されていない新規の画像処理設定を当該記憶手段に新たに登録するときに、当該新規の画像処理設定と当該新規の画像処理設定に類似すると前記判定する機能により判定された画像処理設定である類似画像処理設定とを組み合わせて登録する機能と、前記新規の画像処理設定と前記類似画像処理設定とを組み合わせるか否かを利用者に問い合わせるための情報を出力する機能とを実現させ、前記登録する機能は、前記出力する機能が出力した情報に応じて前記利用者が行った選択の結果に基づき、前記新規の画像処理設定と前記類似画像処理設定とを組み合わせることを特徴とするプログラムである。
【発明の効果】
【０００８】
請求項１の発明によれば、本構成を有していない場合に比較して、互いに類似する画像処理設定が登録されて画像処理設定の個数が増加することを抑えることができる。
請求項２の発明によれば、本構成を有していない場合に比較して、既に記憶されている画像処理設定に類似する画像処理設定が登録されて画像処理設定の個数が増加することを抑えることができる。
請求項３の発明によれば、新規の画像処理設定と類似画像処理設定との間で異なる設定がなされた項目に応じて、利用者に画像処理設定を組み合わせることを促すことができる。
請求項４の発明によれば、本構成を有していない場合に比較して、互いに類似する画像処理設定の間で異なる設定がなされた項目について、利用者が選択の操作を誤る可能性を低減させることができる。
請求項５の発明によれば、予め定められた個数以下の項目について互いに異なる設定がなされている画像処理設定を組み合わせることができる。
請求項６の発明によれば、予め定められた分類に属する項目について互いに異なる設定がなされている画像処理設定を組み合わせることができる。
請求項７の発明によれば、本構成を有していない場合に比較して、互いに類似する画像処理設定が登録されて画像処理設定の個数が増加することを抑えることができる。
請求項８の発明によれば、本構成を有していない場合に比較して、互いに類似する画像処理設定が登録されて画像処理設定の個数が増加することを抑えることができる。
請求項９の発明によれば、本構成を有していない場合に比較して、互いに類似する画像処理設定が登録されて画像処理設定の個数が増加することを抑えることができる。
【図面の簡単な説明】
【０００９】
【図１】本発明の実施の形態が適用される画像処理装置のハードウェア構成例を示した図である。
【図２】本発明の実施の形態における画像処理装置及び登録支援装置の機能構成例を示したブロック図である。
【図３】本発明の実施の形態において新規のジョブメモリが登録されるときの画像処理装置の動作例を示したフローチャートである。
【図４】新規のジョブメモリが登録されるときに操作パネルに表示される画面の例を示した図である。
【図５】記憶部に記憶されているジョブメモリのテーブルの概念図である。
【図６】画像処理装置における設定の項目の分類の例を示したテーブルと、その項目の分類に対応して問合せ情報出力部が出力する情報の区分の例を示したテーブルである。
【図７】本発明の実施の形態におけるジョブメモリの類否を判定するときの画像処理装置の動作例を示したフローチャートである。
【図８】本発明の実施の形態において利用者がジョブメモリを利用するときの画像処理装置の動作例を示したフローチャートである。
【図９】利用者がジョブメモリを選択するときに操作パネルに表示される画面の例を示した図である。
【図１０】本発明の実施の形態を実現可能なコンピュータのハードウェア構成図である。
【発明を実施するための形態】
【００１０】
以下、添付図面を参照して、本発明の実施の形態について詳細に説明する。
図１は、本発明の実施の形態が適用される画像処理装置１０のハードウェア構成例を示した図である。
図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェースコントローラ（以下、「通信Ｉ／Ｆコントローラ」と表記する）１８とを備える。
【００１１】
ＣＰＵ１１は、ＲＯＭ１３等に記憶された各種プログラムをＲＡＭ１２にロードして実行することにより、後述する各機能を実現する。
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読取部１６が読み取った画像データや画像形成部１７における画像形成にて用いる画像データ等を記憶する例えば磁気ディスク装置である。
操作パネル１５は、各種情報の表示やユーザからの操作入力の受付を行うものであり、例えば、タッチパネルで構成される。操作パネル１５は、タッチパネルで構成される場合には、各種情報を表示するディスプレイと、指やスタイラスペン等で指示された位置を検出する位置検出シートとを有する。
【００１２】
画像読取部１６は、紙等の記録媒体に記録された画像を読み取る。ここで、画像読取部１６は、例えばスキャナであり、光源から原稿に照射した光に対する反射光をレンズで縮小してＣＣＤ(Charge Coupled Devices)で受光するＣＣＤ方式や、ＬＥＤ光源から原稿に順に照射した光に対する反射光をＣＩＳ(Contact Image Sensor)で受光するＣＩＳ方式のものを用いるとよい。
【００１３】
画像形成部１７は、紙等の記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
通信Ｉ／Ｆコントローラ１８は、ネットワークを介して他の装置との間で各種情報の送受信を行う。
【００１４】
ところで、コピー機能、スキャナ機能に代表される機能を複数備える画像処理装置においては、その利用に際し、利用者が設定する項目が多数存在する。このため、そのような画像処理装置には、利用者が頻繁に使用する設定の組合せを予め登録しておき、１つのボタン操作により登録された設定の組合せを呼び出すようにしたジョブメモリという機能が設けられている。以下では、ジョブメモリの機能により登録された設定の組合せ自体をジョブメモリと呼ぶ。
【００１５】
しかしながら、ジョブメモリとして設定の組合せが多数登録されると、ジョブメモリ自体の選択肢が多くなり、利用者が所望する設定の組合せを選択しにくくなる。特に、互いに類似する設定の組合せからなるジョブメモリが複数登録された場合においては、誤ったジョブメモリを選択することを避けるために、利用者はそれぞれ設定値の組合せのどの部分が異なっているのかを逐一確認しなくてはならず、かえって操作が煩雑になる。
【００１６】
そこで本実施の形態では、登録支援装置５０が、既に登録されているジョブメモリ（画像処理設定の一例）に類似する新たなジョブメモリが登録される際に、既に登録されているものと新たに登録されるものとを組み合わせたジョブメモリを登録する。そして、その登録支援装置５０を、画像処理装置１０に設けている。
【００１７】
以下では、本実施の形態における画像処理装置１０及び登録支援装置５０の機能構成について詳細に説明する。
図２は、画像処理装置１０及び登録支援装置５０の機能構成例を示したブロック図である。登録支援装置５０は、ＣＰＵ１１がＲＯＭ１３等に記憶されたプログラムをＲＡＭ１２に読み込んで実行することにより、画像処理装置１０内に仮想的に実現される。尚、図２では、登録支援装置５０は画像処理装置１０に内蔵されているが、登録支援装置５０は画像処理装置１０とは独立した装置であってもよい。
【００１８】
まず、画像処理装置１０の機能構成について説明する。図示するように、画像処理装置１０は、登録支援装置５０と、入力受付部６１と、表示制御部６２と、画像処理部６３とを備える。これらのうち、入力受付部６１及び表示制御部６２は、ＣＰＵ１１がＲＯＭ１３等に記憶されたプログラムをＲＡＭ１２に読み込んで実行することにより、実現される。画像処理部６３は、画像読取部１６、画像形成部１７等により実現される。
【００１９】
登録支援装置５０は、既に登録されているジョブメモリに類似する新たなジョブメモリが登録される際に、既に登録されているものと新たに登録されるものとを組み合わせたジョブメモリを登録する。
入力受付部６１は、操作パネル１５を介して、利用者の操作を受け付ける。
表示制御部６２は、後述する問合せ情報出力部５４及び選択情報出力部５５が出力する情報を操作パネル１５に表示するように制御する。
画像処理部６３は、利用者の操作により選択された設定の組合せに基づいて画像処理を行う。本実施の形態では、画像処理手段の一例として、画像処理部６３を設けている。
【００２０】
次に、登録支援装置５０の機能構成について説明する。
図示するように、本実施の形態における登録支援装置５０は、類似判定部５１と、記憶部５２と、登録制御部５３と、問合せ情報出力部５４と、選択情報出力部５５とを備える。これらのうち、記憶部５２は、例えばＨＤＤ１４により実現される。また、類似判定部５１、登録制御部５３、問合せ情報出力部５４、選択情報出力部５５の各機能は、ＣＰＵ１１がＲＯＭ１３等に記憶されたプログラムをＲＡＭ１２に読み込んで実行することにより、実現される。
尚、記憶部５２を外部記憶装置とするなど、類似判定部５１、記憶部５２等の各構成要素は登録支援装置５０とは独立に設けられたものであってもよい。
【００２１】
類似判定部５１は、１つのジョブメモリと他のジョブメモリとが共通する設定がなされた項目をもつことにより互いに類似するか否かを判定する。この判定の方法については後述する。本実施の形態では、判定手段の一例として、類似判定部５１を設けている。
記憶部５２は、登録されたジョブメモリ等の各種情報を記憶する。
【００２２】
登録制御部５３は、新規のジョブメモリが登録されるときに、新規のジョブメモリと記憶部５２に記憶されているものの中で新規のジョブメモリに類似すると類似判定部５１により判定されたジョブメモリ（以下、類似のジョブメモリという）とを組み合わせたジョブメモリ（以下、組合せのジョブメモリという）を登録するように制御する。本実施の形態では、登録手段の一例として、登録制御部５３を設けている。
【００２３】
問合せ情報出力部５４は、新規のジョブメモリと類似のジョブメモリとを組み合わせて登録するか否かを利用者に問い合わせるための情報を出力する。本実施の形態では、問合せ情報出力手段の一例として、問合せ情報出力部５４を設けている。
選択情報出力部５５は、ジョブメモリの１つを利用者に選択させるための情報を出力する。また、互いに異なる設定がなされた項目を有する複数のジョブメモリを組み合わせたジョブメモリが選択されたならば、更にその項目につきいずれかの設定を利用者に選択させるための情報を出力する。本実施の形態では、選択情報出力手段の一例として選択情報出力部５５を設けている。
【００２４】
以下では、本実施の形態における画像処理装置１０及び登録支援装置５０の動作について、詳細に説明する。
図３は、新規のジョブメモリが登録されるときの画像処理装置１０の動作例を示したフローチャートである。図４は、新規のジョブメモリが登録されるときに操作パネル１５に表示される画面の例を示した図である。また、図５は、記憶部５２に記憶されているジョブメモリのテーブルの概念図である。
まず、図４及び図５を参照しながら、図３に示した新規のジョブメモリが登録されるときの画像処理装置１０の動作例について説明する。
【００２５】
まず、操作パネル１５を介して行われた新規のジョブメモリの登録に関する利用者の入力操作を、入力受付部６１が受け付ける（ステップ１０１）。ここでは、例えば、図４（Ａ）に示すような画面が操作パネル１５上に表示され、利用者が「カラーモード」、「原稿サイズ」、「原稿の画質」、「両面原稿送り」、「宛先」の各項目に、それぞれ「フルカラー」、「Ａ４」、「写真」、「片面」、「Xx@co.jp」の設定を選択した上で「ジョブメモリ登録」のボタンを押したとする（宛先については不図示）。
【００２６】
すると、類似判定部５１が、この新規のジョブメモリに類似するジョブメモリが記憶部５２に記憶されているか否かを調べる（ステップ１０２）。例えば、記憶部５２には図５（Ａ）のテーブルに示すような３つのジョブメモリ（ジョブメモリ１〜３）が記憶されていたとする。この例では、新規のジョブメモリとジョブメモリ２とが、「カラーモード」以外の「原稿サイズ」、「原稿の画質」、「両面原稿送り」、「宛先」の各項目で共通する「Ａ４」、「写真」、「片面」、「Xx@co.jp」の設定をもち、「カラーモード」の項目ではそれぞれ「フルカラー」、「白黒」の異なる設定をもっている。また、ジョブメモリ３についても、この新規のジョブメモリは、「原稿サイズ」以外の各項目で共通する設定をもっている。類似判定部５１は、このような関係にあるジョブメモリ２とジョブメモリ３のうち、例えば「カラーモード」の項目に着目して、ジョブメモリ２を新規のジョブメモリに類似すると判定する。尚、類似判定部５１が行う判定の方法の詳細については後述する。
【００２７】
類似判定部５１により記憶部５２に類似のジョブメモリが登録されていると判定された場合は（ステップ１０３でＹｅｓ）、問合せ情報出力部５４は、新規のジョブメモリと類似のジョブメモリとを組み合わせて登録するか否かを利用者に問い合わせるための情報を、両者のジョブメモリの間で異なる設定がなされた項目が予め定められた項目の分類のいずれに属するかに基づいて選択する（ステップ１０４）。この選択の具体的な方法についても後述する。
そして問合せ情報出力部５４は、選択された情報を出力し、表示制御部６２を介してその情報を操作パネル１５に表示させる（ステップ１０５）。
【００２８】
図４（Ｂ）は、この出力される情報の例を示している。上記の例では、新規のジョブメモリとジョブメモリ２とは「カラーモード」の１項目でそれぞれ「フルカラー」、「白黒」の異なる設定がなされていることから、その旨を利用者に通知し、両者のジョブメモリを組み合わせるか否かを問い合わせる。
【００２９】
これに対し、利用者が組み合わせることを選択し、入力受付部６１がその操作を受け付けると（ステップ１０６でＹｅｓ）、登録制御部５３が新規のジョブメモリと類似のジョブメモリとを組み合わせた組合せのジョブメモリを作成する（ステップ１０７）。そして登録制御部５３は、作成した組合せのジョブメモリを記憶部５２に登録する（ステップ１０８）。
【００３０】
図５（Ｂ）は、この組合せのジョブメモリが登録されたテーブルの例を示している。上記の例では、新規のジョブメモリはジョブメモリ２と類似し、「カラーモード」の１項目においてジョブメモリ２の「白黒」とは異なる「フルカラー」の設定がなされていることから、「白黒」に併せて「フルカラー」の設定が新たに登録されている。このジョブメモリ２が組合せのジョブメモリの例である。
尚、新規のジョブメモリと類似のジョブメモリとの間で共通する設定がなされた項目（図５（Ｂ）中の「原稿サイズ」、「原稿の画質」、「両面原稿送り」、「宛先」の各項目）については、記憶する設定を１つにまとめず、両者のジョブメモリの設定を重複して登録してもよい。
【００３１】
また、記憶部５２に類似のジョブメモリが登録されていないと判定された場合（ステップ１０３でＮｏ）、又は類似のジョブメモリが登録されていても利用者が組み合わせることを選択しなかった場合（ステップ１０６でＮｏ）は、登録制御部５３は、入力受付部６１が受け付けた新規のジョブメモリをそのまま記憶部５２に登録する（ステップ１０９）。
以上で、新規のジョブメモリが登録されるときの画像処理装置１０の動作は終了する。
【００３２】
次に、図３のステップ１０４において、問合せ情報出力部５４が、新規のジョブメモリと類似のジョブメモリとを組み合わせて登録するか否かを利用者に問い合わせる際に出力する情報を選択する方法について説明する。
図６は、画像処理装置１０における設定の項目の分類の例を示したテーブルと、その項目の分類に対応して問合せ情報出力部５４が出力する情報の区分の例を示したテーブルである。本実施の形態における問合せ情報出力部５４は、これらのテーブルを用いて出力する情報を決定する。
【００３３】
図６（Ａ）は、「カラーモード」、「原稿サイズ」、「原稿の画質」、「両面原稿送り」、「宛先」の各項目についての分類を示している。この分類の例として、ここでは、「通常」、「設定しにくい」、「セキュリティ」及び「設定しにくい＋セキュリティ」の４通りを考える（「セキュリティ」の分類は図６（Ａ）には表示されていない）。「設定しにくい」は、例えば文字列入力がある、設定するためのステップ数が多い、あるいは選択肢が多いなどの理由により利用者が設定しにくい項目であることを表す。「セキュリティ」は、宛先（送信先）などのように、設定を誤った場合に重大な影響がある項目であることを表す。また、「設定しにくい＋セキュリティ」は「設定しにくい」及び「セキュリティ」の両方の性質を共通してもつ項目であり、「通常」は以上のいずれの分類にも該当しないものであることを表す。
【００３４】
図６（Ｂ）は、以上の４通りの分類のそれぞれに対応して、「Ａ」〜「Ｄ」の４通りのいずれかの情報を出力することを意味するものである。例えば図３について説明した例では、新規のジョブメモリと類似のジョブメモリとの設定が、「カラーモード」において異なっている。図６（Ａ）及び（Ｂ）によると、「カラーモード」は「通常」の分類であり、「通常」に対応する区分は「Ａ」なので、図４（Ｂ）において、問合せ情報出力部５４により「Ａ」の区分の情報が出力されている。
【００３５】
この他に、「Ｂ」〜「Ｄ」の区分に対応する情報としては、図４（Ｂ）に表示されたものとは異なるメッセージを出力したり、表示の色を変化させたり、あるいは警告音の有無を変化させることなどが考えられる。このように、本実施の形態では、誤操作を防止するという観点から、新規のジョブメモリと類似のジョブメモリとの間で異なる設定がなされている項目の分類に応じて、ジョブメモリを組み合わせることを利用者に促す際の促し方を変化させる。
【００３６】
次に、図３のステップ１０２において、類似判定部５１が、類似のジョブメモリが登録されているか否かを調べる方法について説明する。
図７は、ジョブメモリの類否を判定するときの画像処理装置１０の動作例を示したフローチャートである。
【００３７】
まず、入力受付部６１から新規のジョブメモリを取得すると（ステップ１２１）、類似判定部５１は記憶部５２に記憶されているジョブメモリのうちの１つを読み出す（ステップ１２２、１２３）。そして、類似判定部５１は、新規のジョブメモリと読み出されたジョブメモリの間で、異なる設定がなされた項目の数をカウントする（ステップ１２４）。カウントされた数が予め定められた個数Ｎ以下であれば（ステップ１２５でＹｅｓ）、読み出されたジョブメモリを類似のジョブメモリの候補とする（ステップ１２６）。そして、新規のジョブメモリとの間で異なる設定がなされた項目を、読み出されたジョブメモリを特定する番号に対応付けて記憶部５２に記憶し（ステップ１２７）、ステップ１２２に戻る。
一方、カウントされた数が予め定められた個数Ｎよりも大きければ（ステップ１２５でＮｏ）、類似判定部５１はその読み出されたジョブメモリは類似のジョブメモリの候補ではないと判断し、ステップ１２２に戻る。
【００３８】
以上の処理を記憶部５２に記憶されている全てのジョブメモリについて行い、読み出していないジョブメモリがなくなったときに、処理はステップ１２８へ移行する（ステップ１２２）。類似のジョブメモリの候補があるときは（ステップ１２８でＹｅｓ）、その候補の中から、新規のジョブメモリとの間で異なる設定がなされた項目が最も優先度の高い項目であるものを１つ選択する（ステップ１２９）。類似判定部５１はこうして選択されたジョブメモリを新規のジョブメモリと類似するジョブメモリであると決定し（ステップ１３０）、処理を終了する。
一方、類似のジョブメモリの候補がないときは（ステップ１２８でＮｏ）、類似判定部５１は、新規のジョブメモリと類似するジョブメモリはないと判断し、処理を終了する。
【００３９】
例えば、図３について説明した新規のジョブメモリ（「フルカラー」、「Ａ４」、「写真」、「片面」、「Xx@co.jp」）と図５（Ａ）に示したジョブメモリ１〜３について類否を判断する場合は、図７の処理は次のようになる。予め定められた個数Ｎを１とすると、ジョブメモリ１〜３についての異なる設定がなされた項目数はそれぞれ４、１、１となるため、ジョブメモリ２、３が類似のジョブメモリの候補になる。ジョブメモリ２は「カラーモード」が、ジョブメモリ３は「原稿サイズ」がそれぞれ異なる項目であるため、例えば「原稿サイズ」よりも「カラーモード」の優先度を高く定めていたとすると、ジョブメモリ２が最終的に類似のジョブメモリとして選択される。
【００４０】
このように、本実施の形態における類似判定部５１は、（１）２つのジョブメモリの間で異なる設定がなされた項目の数が予め定められた個数以下であるか、（２）異なる設定がなされた項目が予め定められた項目の分類のいずれに属するか、という２つの観点から、ジョブメモリの類否を判定する。例えば、図６（Ａ）について説明したように、「設定しにくい」、「セキュリティ」等に分類された項目について優先度を高く設定することにより、それらの項目につき異なる設定がなされたジョブメモリを類似のジョブメモリとして、組合せのジョブメモリが構成されるようにしてもよい。尚、（１）又は（２）の一方だけの観点から類否の判定を行ってもよい。
【００４１】
次に、利用者がジョブメモリを利用するときの画像処理装置１０の動作例について説明する。
図８は、利用者がジョブメモリを利用するときの画像処理装置１０の動作例を示したフローチャートである。また、図９は、利用者がジョブメモリを選択するときに操作パネル１５に表示される画面の例を示した図である。
【００４２】
まず、選択情報出力部５５が、利用者にジョブメモリを選択させるための情報を出力し、表示制御部６２を介してその情報を操作パネル１５上に表示させる（ステップ１４１）。図９（Ａ）は、このときに操作パネル１５に表示される画面の例である。そして選択情報出力部５５は、入力受付部６１を介して、利用者によるジョブメモリの選択操作を受け付ける（ステップ１４２）。
【００４３】
利用者が組合せのジョブメモリを選択した場合は（ステップ１４３でＹｅｓ）、次に選択情報出力部５５は、複数の設定が登録された項目につき、更にいずれかの設定を利用者に選択させるための情報を出力し、操作パネル１５に表示させる（ステップ１４４）。図９（Ｂ）は、このときに操作パネル１５に表示される画面の例である。上記の通りこの例では、選択されたジョブメモリ２は「カラーモード」について「フルカラー」と「白黒」の設定が登録されている。従って、更にそれらのいずれかを利用者に選択させるために、利用者による選択操作に応じて、「フルカラー」と「白黒」のボタンがポップアップメニューとして操作パネル１５上に表示される。そして選択情報出力部５５は、入力受付部６１を介して、複数の設定が登録された項目についての利用者の選択操作を受け付ける（ステップ１４５）。
【００４４】
一方、利用者が組合せのジョブメモリでないジョブメモリを選択した場合は（ステップ１４３でＮｏ）、ステップ１４４及び１４５の処理は行われない。例えば、図５（Ｂ）の例においてジョブメモリ１または３が選択されたとすると、これらは組合せのジョブメモリでないため、図９（Ｂ）のようなポップアップメニューの表示は行われない。
最後に、画像処理部６３が、選択されたジョブメモリに含まれる各設定に基づいて画像処理を行う（ステップ１４６）。
以上で利用者がジョブメモリを利用するときの画像処理装置１０の動作は終了する。
【００４５】
尚、選択情報出力部５５がポップアップメニューの表示のために出力する情報についても、その項目が図６（Ａ）のテーブルに示したいずれの分類に属するかに応じて、図９（Ｂ）に表示されたものとは異なるメッセージを出力したり、表示の色を変化させたり、あるいは警告音の有無を変化させることを行ってもよい。
【００４６】
ところで、本実施の形態では、登録支援装置５０が画像処理装置１０内に仮想的に実現されていた。しかしながら、登録支援装置５０による処理は、画像処理装置１０とは独立した汎用のコンピュータ９０で行うようにしてもよい。以下では、そのようなコンピュータ９０のハードウェア構成について説明する。
【００４７】
図１０は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信インタフェース９４と、ビデオメモリやディスプレイ等からなる表示機構９５と、キーボードやマウス等の入力デバイス９６とを備える。
【００４８】
尚、本実施の形態を実現するプログラムは、通信手段により提供することはもちろん、ＣＤ−ＲＯＭ等の記録媒体に格納して提供するようにしてもよい。
【符号の説明】
【００４９】
１０…画像処理装置、５０…登録支援装置、５１…類似判定部、５２…記憶部、５３…登録制御部、５４…問合せ情報出力部、５５…選択情報出力部、６１…入力受付部、６２…表示制御部、６３…画像処理部
【図１】
0005463818.tif 000002
【図２】
0005463818.tif 000003
【図３】
0005463818.tif 000004
【図４】
0005463818.tif 000005
【図５】
0005463818.tif 000006
【図６】
0005463818.tif 000007
【図７】
0005463818.tif 000008
【図８】
0005463818.tif 000009
【図９】
0005463818.tif 000010
【図１０】
0005463818.tif 000011